(57)【要約】本開示は、製品仕上げ設備内のアプリケータ（１０２ａ、１０３ａ）に塗料を供給するのに適した塗料循環システムに関する。システムは、システムの周りに塗料を送り込むポンプ（１０１）と、背圧レギュレータ（ＢＰＲ）の上流の塗料の圧力変動を低減する自動的に調整可能な背圧レギュレータ（ＢＰＲ）（１１２、１１３）と、ＢＰＲの上流の導管を通る塗料の流量を示す手段と、示された流量に基づいて所望の流量を維持するようにＢＰＲを制御する制御手段とを含む。
2021518252.tif 000002
【特許請求の範囲】
【請求項１】
製品仕上げ設備内のアプリケータに塗料を供給するのに適した塗料循環システムであって、
前記システムの周りに塗料を送り込むポンプと、
背圧レギュレータ（ＢＰＲ）の上流の塗料の圧力変動を低減する自動的に調整可能な背圧レギュレータ（ＢＰＲ）と、
前記ＢＰＲの上流の導管を通る塗料の流量を示す手段であって、前記導管のセクションの長さに沿って塗料の流れの圧力降下を測定する手段を含む手段と、
示された流量に基づいて所望の流量を維持するように前記ＢＰＲの設定を調整する制御手段と
を含む塗料循環システム。
【請求項２】
前記塗料の圧力降下を測定する手段は、前記導管のセクションの始端における塗料の始端圧力と、前記導管のセクションの終端における塗料の終端圧力とを測定するように構成された圧力センサを含む、請求項１に記載の塗料循環システム。
【請求項３】
２つの圧力センサを含み、前記導管のセクションの各端部に１つの圧力センサが配置されている、請求項２に記載の塗料循環システム。
【請求項４】
前記塗料の流量を決定する手段は、測定された圧力降下、前記塗料の動的粘度、前記導管のセクションの長さ、及び前記導管の断面パラメータに基づいて前記流量を計算する手段をさらに含む、請求項１から３のいずれか一項に記載の塗料循環システム。
【請求項５】
前記導管のセクションは一定の断面を有し、前記断面パラメータは、前記一定の断面の直径又は水力直径である、請求項４に記載の塗料循環システム。
【請求項６】
前記導管のセクションは、塗料の劣化を引き起こすほど大きく変化しない可変断面を有し、前記断面パラメータは、前記導管のセクションの断面寸法から導き出される、請求項４に記載の塗料循環システム。
【請求項７】
前記流量を計算する手段は、６７９である流量定数にさらに基づくように構成されている、請求項４から６のいずれか一項に記載の塗料循環システム。
【請求項８】
前記流量を示す手段は、塗料システムコントローラに流量信号を提供するように構成されている、請求項１から７のいずれか一項に記載の塗料循環システム。
【請求項９】
前記制御手段は、前記流量信号に基づいて前記塗料システムコントローラから制御信号を受信し、それに応じて前記所望の流量を維持するように前記ＢＰＲを制御するように構成されている、請求項８に記載の塗料循環システム。
【請求項１０】
前記塗料システムコントローラは、前記流量又は所望の流量のいずれかをオペレータに表示する手段を含む、請求項８又は９に記載の塗料循環システム。
【請求項１１】
複数の塗料流路を含み、各流路にＢＰＲが配置され、対応する塗料流路を通る対応する流量を示すために対応する手段が設けられている、請求項１から１０のいずれか一項に記載の塗料循環システム。
【請求項１２】
各流路の流量を示す手段の対応する導管セクションが、同等の幾何学的形状を含む、請求項１１に記載の塗料循環システム。
【請求項１３】
前記塗料システムコントローラは、各塗料流路に対応する流量を比較し、流量比較に基づいて前記流路のそれぞれにおいて所望の流量を維持するように前記ＢＰＲを自動的に制御するように動作可能である、請求項１１又は１２に記載の塗料循環システム。
【請求項１４】
前記塗料システムコントローラは、それぞれが前記流量比較に基づいてマスター流量の等しい比率を維持するように前記複数の塗料流路のそれぞれのＢＰＲを制御することによって、各塗料流路を通る流量のバランスを取るように動作可能であり、前記マスター流量は、前記複数の塗料流路に塗料を送り込むように構成されたポンプステーションによって提供される、請求項１３に記載の塗料循環システム。
【請求項１５】
前記塗料流路のそれぞれが対応する塗装ブースを含む、請求項１１から１４のいずれか一項に記載の塗料循環システム。
【請求項１６】
製品仕上げ設備内のアプリケータに塗料を供給するために塗料循環システムの動作方法であって、
システムの周りに塗料を送り込むステップと、
背圧レギュレータ（ＢＰＲ）の上流にある導管を通る塗料の流量を示す、前記導管のセクションの長さに沿った塗料の圧力降下を測定するステップと、
示された流量に基づいて所望の流量を維持するように前記ＢＰＲを制御するステップと
を含む、塗料循環システムの動作方法。
【請求項１７】
前記導管のセクションの長さに沿った塗料の圧力降下を測定するステップは、２つ以上の圧力センサを利用する、請求項１６に記載の塗料循環システムの動作方法。
【請求項１８】
流量を示すステップは、測定された圧力降下、塗料の動的粘度、導管のセクションの長さ、及び導管の水力直径に基づいて流量を計算することを含む、請求項１８に記載の塗料循環システムの動作方法。
【請求項１９】
それぞれが複数のＢＰＲのうちの１つを含む複数の塗料流路のそれぞれを通る塗料の流量を比較し、前記複数の塗料流路のそれぞれに対して所望の流量を維持するように各ＢＰＲを制御するステップを含む、請求項１６から１８のいずれか一項に記載の塗料循環システムの動作方法。
【請求項２０】
前記塗料流路のそれぞれが対応する塗装ブースを含む、請求項１９に記載の塗料循環システムの動作方法。
【請求項２１】
製品仕上げ設備内のアプリケータに塗料を供給する塗料循環システムに用いる塗料流量測定アセンブリであって、
導管のセクション内を流れる塗料の圧力降下を測定する複数の圧力センサを持つ導管のセクションと、
測定された圧力降下、塗料の動的粘度、及び導管の幾何学的形状に基づいて流量を示す手段と
を含む塗料流量測定アセンブリ。
【請求項２２】
製品仕上げ設備内のアプリケータに塗料を供給するのに適した塗料循環システムであって、
システムの周りに塗料を送り込むポンプと、
複数の塗料流路であって、各流路が、
背圧レギュレータ（ＢＰＲ）の上流の塗料の圧力変動を低減する自動的に調整可能な背圧レギュレータ（ＢＰＲ）と、
前記流路内の導管を通る塗料の流量を示す手段であって、前記導管のセクションの長さに沿って塗料の流れの圧力降下を測定する手段を含む手段と
を含む複数の塗料流路と、
示された流量に基づいて所望の流量を維持するように前記ＢＰＲの設定を調整する制御手段と
を含む塗料循環システム。
【発明の詳細な説明】
【技術分野】
【０００１】
本発明は、自動車塗装仕上げ工場で使用できるシステムなどの塗料循環システムに関する。
【背景技術】
【０００２】
自動車塗装工場などの工場エリアには、通常、１つの塗料ポンプから供給される複数の塗装ブースがある。塗料の流れは、各ブースで独立して背圧レギュレータ（ＢＰＲ）によって維持される。塗料の流れは、ＢＰＲのドリフトや機器の変更（ホースの長さの変更など）により、容易にアンバランスになり得る。アンバランスな塗料の流入は、
塗料供給システム内で最も抵抗の少ない経路を通る塗料による短絡、
顔料が「落ちる」原因となる塗装速度の低下（塗装速度が遅すぎると、顔料粒子が重力によって沈降し始める）、
圧力の低下による、塗装ラインの閉塞につながる塗装ラインの「血栓形成」、
製造を中断させるユーザ視点での塗料の欠乏
などの問題を引き起こす可能性がある。
【先行技術文献】
【特許文献】
【０００３】
【特許文献１】欧州特許第１８３０９６６号明細書
【発明の概要】
【発明が解決しようとする課題】
【０００４】
本発明の目的は、上記課題を解決することである。
【課題を解決するための手段】
【０００５】
本発明の第１の態様によれば、製品仕上げ設備内のアプリケータに塗料を供給するのに適した塗料循環システムが提供され、このシステムは、
システムの周りに塗料を送り込むポンプと、
ＢＰＲの上流の塗料の圧力変動を低減する自動的に調整可能な背圧レギュレータ（ＢＰＲ）と、
ＢＰＲの上流の導管を通る塗料の流量を示す手段であって、導管のセクションの長さに沿って塗料の流れの圧力降下を測定する手段を含むものと、
示された流量に基づいて所望の流量を維持するようにＢＰＲを制御する制御手段と
を含む。
【０００６】
本明細書において、「流量を示す手段」という用語は、流量インジケータを指す場合がある。「ＢＰＲを制御する制御手段」という用語は、ＢＰＲコントローラを指す場合がある。
【０００７】
導管はパイプであり得る。導管はさらに、それを通って流体が流れることができ、それを横切って測定可能な圧力降下がある任意の通路を指すことができる。導管は、円形断面を有することができる。
【０００８】
ＢＰＲは、公開された特許文献１に開示されているような背圧レギュレータであり得る。このような背圧レギュレータは、レギュレータ内の可動面に圧力を加える加圧流体の供給を変化させ、それによって塗料流路の狭窄を定めることによって、遠隔で調節可能／制御可能である。このような調整可能なＢＰＲは、パイロットＢＰＲと呼ぶことができる。
【０００９】
ＢＰＲを通る塗料の流量を示す手段を提供することは、システムのバランスの設定及び維持に役立つ。例えば、上記の導入部で説明した要因によって引き起こされる塗料の流れの変動は、塗料の流れを監視し、それに応じてＢＰＲの制御設定を調整して、システムの一部を通して所望の流量が維持されることを確実にすることによって低減することができる。
【００１０】
塗料の圧力降下を測定する手段は、導管のセクションの始端における塗料の始端圧力と、導管のセクションの終端における塗料の終端圧力とを測定するように構成された圧力センサを含み得る。
【００１１】
塗料循環システムは、２つの圧力センサを含むことができ、導管のセクションの各端部に１つの圧力センサが配置されている。
【００１２】
圧力センサの使用は、流量に正比例する圧力降下の値を得ることによって、流量が非制限的に示されるようにする。市販の流量計は、通常、オリフィスプレートや可動部品（例えばタービンメータ）などの何らかの制限がある。これらは高価であり、塗料自体に損傷を与える可能性のある流体内の高い剪断力を生じるため、塗料での使用には適していない。当業者は、塗料の損傷を引き起こす塗料の流れにおける十分に高い剪断力をもたらす導管の断面の制限のレベル又は変動のレベルを理解するであろう。
【００１３】
塗料の流量を示す手段は、測定された圧力降下、塗料の動的粘度、パイプのセクションの長さ、及び導管の断面パラメータに基づいて流量を計算する手段を含み得る。
【００１４】
導管のセクションは、実質的に一定の直径又は実質的に一定の水力直径を有することができる。「一定の水力直径」という用語は、必ずしも円形ではない導管のセクションに沿って変化しないままである導管の断面形状を指すことができる。「一定の直径」はさらに、導管の中心を左右に通る任意の直線の長さを指すことができる。断面パラメータは、一定の直径又は一定の水力直径であり得る。
【００１５】
導管のセクションは、塗料の進路変更による塗料の劣化を引き起こすほど大きく変化しない可変断面（すなわち、導管の長さにわたって変化する）を有することができる。断面パラメータは、導管のセクションの断面寸法から導き出すことができる。
【００１６】
本発明のいくつかの実施形態では、流量を計算する必要はない。代わりに、測定された圧力降下は流量を示す（すなわち、流量の指標と）みなされる。このため、導管セクションのより複雑な幾何学的形状は、流量値の計算を提供することを困難にする可能性があるが、実施形態は、圧力降下を測定することによって決定される流量の必要な指標を提供しながら、そのような複雑な幾何学的形状を含み得る。
【００１７】
導管のセクションは、直線であり得るが、必ずしもそうではない。
【００１８】
流量を計算する手段は、６７９である質量流量定数にさらに基づくように構成され得る。この定数は、塗料配管の設置に使用される一般的なパイプ／ホースの質量流量特性に基づく。
【００１９】
流量を示す手段は、流量信号を塗料システムコントローラに提供するように構成され得る。流量信号は、圧力降下値を含み得る。
【００２０】
制御手段は、流量信号に基づいて塗料システムコントローラから制御信号を受信し、それに応じて所望の流量を維持するようにＢＰＲを制御するように構成され得る。
【００２１】
塗料システムコントローラは、示された流量又は所望の流量のいずれかをオペレータに表示する手段を含み得る。
【００２２】
塗料循環システムは複数の塗装ブースを含むことができ、１つのＢＰＲが各塗装ブースの下流に位置し、対応する塗装ブースを通る対応する流量を示す対応する手段が対応する塗装ブースの上流又は下流のいずれかに位置する。
【００２３】
各ＢＰＲの流量を示す手段の対応する導管セクションは、同等の幾何学的形状を含み得る。各導管が同等の幾何学的形状を有する場合、各導管セクション全体の圧力降下の比較が、各導管セクション全体で発生する流量の比較をもたらす。各導管セクションの幾何学的形状は同一でなくてもよく、例えば、それらは互いにラーリングされ又は逆になっていてもよい。
【００２４】
塗装システムコントローラは、各塗装ブースに対応する示された流量を比較し、比較に基づいてブースのそれぞれに対して所望の流量を維持するようにＢＰＲを自動的に制御するように動作可能であり得る。特に、塗装システムコントローラは、各塗装ブースを通る流れが同じになるように、塗装ブースのバランスをとるように動作可能であり得る。いくつかの実施形態では、コントローラは、流量を示す各手段によって決定される圧力降下が同じになるようにＢＰＲを制御することによって、塗装ブースのバランスをとるように動作可能であり得る。
【００２５】
各塗装ブース内の流量を比較し、各塗装ブースの背圧を自動調整することで、ブースごとの適切な流量を維持することができる。このデータは、関連する塗料システムコントローラに報告され、コントローラ／オペレータに表示され得る。
【００２６】
塗料システムコントローラは、それぞれが流量比較に基づいてマスター流量の等しい比率を維持するように複数の塗装ブースのそれぞれのＢＰＲの全てを制御することによって、各塗装ブースを通る流量のバランスを取るように動作可能であり得、マスター流量は、複数の塗装ブースに塗料を送り込むように構成されたポンプステーションによって提供される。
【００２７】
本発明の第２の態様によれば、製品仕上げ設備内のアプリケータに塗料を供給する塗料循環システムの動作方法であって、
システムの周りに塗料を送り込むステップと、
背圧レギュレータ（ＢＰＲ）の上流にある導管を通る塗料の流量を示す、導管のセクションの長さに沿った塗料の圧力降下を測定するステップと、
流量に基づいて所望の流量を維持するようにＢＰＲを制御するステップと
を含む方法が提供される。
【００２８】
塗料の流量の指標を決定するステップは、２つ以上の圧力センサを用いて導管のセクションの長さに沿った塗料の圧力降下を測定するステップをさらに含み得る。
【００２９】
流量の指標を決定するステップは、測定された圧力降下、塗料の動的粘度、導管のセクションの長さ、及び導管の直径に基づいて流量を計算することを含み得る。
【００３０】
方法は、それぞれが複数のＢＰＲのうちの１つの上流に配置された複数の塗装ブースのそれぞれを通る塗料の流量の指標を比較し（測定された圧力降下を比較するなど）、複数の塗装ブースのそれぞれに対して所望の流量を維持するように各ＢＰＲを制御するステップをさらに含み得る。
【００３１】
本発明の第３の態様によれば、製品仕上げ設備内のアプリケータに塗料を供給する塗料循環システムに用いる塗料流測定装置が提供される。アセンブリは、
その中を流れる塗料の圧力降下を測定する複数の圧力センサを有する導管のセクションと、
測定された圧力降下、塗料の動的粘度、及び導管のセクションの幾何学的形状に基づいて流量を示す手段と
を含む。
【００３２】
本発明の第４の態様によれば、製品仕上げ設備内のアプリケータに塗料を供給するのに適した塗料循環システムが提供され、システムは、
システムの周りに塗料を送り込むポンプと、
複数の塗料流路であって、各流路は、
ＢＰＲの上流の塗料の圧力変動を低減する自動的に調整可能な背圧レギュレータ（ＢＰＲ）と、
流路内の導管を通る塗料の流量を示す手段であって、導管のセクションの長さに沿って塗料の流れの圧力降下を測定する手段を含む手段と
を含む複数の塗料流路と、
示された流量に基づいて所望の流量を維持するようにＢＰＲの設定を調整する制御手段と
を含む。
【図面の簡単な説明】
【００３３】
【図１】本発明の一実施形態による塗料循環システムの概略図である。
【図２】本発明の一実施形態による流量測定手段の概略図である。
【図３】本発明の他の実施形態による流量測定手段の概略図である。
【発明を実施するための形態】
【００３４】
図面を参照すると、本発明による塗料循環システムが図１に示されている。塗料は、ポンプステーション１０１から送り込まれ、ポンプステーション１０１は供給ライン１０８に供給し、次に供給ライン１０８は塗装ブース供給ライン１０４及び１０５に供給する。塗装ブース供給ライン１０４は塗装ブース１０２に供給し、塗装ブース供給ライン１０５は塗装ブース１０３に供給する。塗料は、塗装ブース１０２、１０３内で１０２ａ及び１０３ａとして参照されるようなアプリケータを通って流れる。アプリケータは、塗装ブース１０２、１０３内に位置する物体（図示せず）に塗布されるスプレーとして、塗料の流れから塗料の一部を放出する。塗料は、塗装ブースから塗装ブース戻りライン１０６、１０７を通って戻りパイプ１０９を通ってポンプステーション１０１に戻される。
【００３５】
図面に関して本明細書に記載される実施形態はパイプを含むが、実施形態は供給／戻りラインとしてのパイプの使用に限定されない。例えば、鋳造又は機械加工されたホース、オリフィス又はチャネルなどの導管をパイプの代わりに使用することができる。本発明の塗料循環システム内には、異なるタイプの導管の組み合わせがあり得る。
【００３６】
塗装ブース背圧レギュレータ（ＢＰＲ）１１０及び１１１は、遠隔制御可能であり、それぞれ塗装ブース戻りライン１０６及び１０７と直列である。ＢＰＲ流量測定手段１１２、１１３はそれぞれ、ＢＰＲ１１０、１１１の１つにそれぞれ関連付けられ、各ＢＰＲ１１０、１１１の上流に配置されている。ＢＰＲ１１０、１１１は、対応する塗装ブースを流れる塗料の圧力を維持するように構成されている。
【００３７】
図１の実施形態では、ＢＰＲ流量測定手段１１２及び１１３は、塗装ブース１０２、１０３の下流に配置されている。しかしながら、他の実施形態では、ＢＰＲ流量測定手段は、塗装ブースの上流などの他の位置に配置することができる。
【００３８】
また、戻りライン１０９と直列のシステムＢＰＲ１１５がある。システムＢＰＲ１１５は、ポンプ輸送が停止したときに流体が戻りパイプ１０９からポンプステーション１０１へ流れ続けるのを防ぐ。
【００３９】
当然のことながら、本発明による塗料流システムは、本発明の範囲から逸脱することなく、対応するＢＰＲを有する任意の数の塗装ブース、及び塗装ブース内の様々な数の塗料アプリケータを含むことができる。
【００４０】
使用中、塗料は、矢印１１４で示すように、システムの周りを流れ、塗料アプリケータ１０２ａ及び１０３ａを通って物体に塗布される。図示の実施例では、塗装ブースＢＰＲ１１０及び１１１は、各ブースに対して６バールの所望の圧力に設定されている。図示の実施形態では、供給ライン１０８、１０４、１０６、１０５、１０７及び戻りライン１０９は、図１に示すように円筒形であり、ｍｍの直径を有する。他の実施形態では、供給ライン及び戻りラインは、１２ｍｍから５０ｍｍの直径を有し得る。ラインは、ホース、パイプ、又は圧力で流体を移送するための他の既知の手段を含み得る。実施形態では、ラインの直径は、図１に示したものと異なることができる。
【００４１】
ＢＰＲのドリフトやホースの交換などのシステム構成の変更により、ブース間の塗料の流れがアンバランスになることがある。言い換えれば、２つのブース１０２及び１０３の間で流量のばらつきが生じ得る。したがって、各ブースを通して塗料の一定の流量が維持されるように、ＢＰＲの圧力設定を調整する必要がある。特に、各ブースを通る流量はバランスが取れている（すなわち同じである）ことが望ましい場合がある。
【００４２】
流量表示手段１１２、１１３は、後述するように、塗料の流れを妨げることなく流量を表示する。流量表示手段は、流量信号をコントローラ（図示せず）に供給する。この値は、塗装ブースを通して所望の流量が維持されるようにＢＰＲ１１０及び１１１を調整するために使用される。ＢＰＲ１１０及び１１１は、（必ずしもそうとは限らないが）上記発明の概要で説明したようにパイロット作動式のＢＰＲであり得る。例えば、ＢＰＲは、空気作動式であり、ＢＰＲ内の可動面に圧力を加える流体の圧力を変化させ、それにより塗料流路内の可変絞りのサイズを調整することによって遠隔制御可能であり得る。従って、ＢＰＲは、コントローラ（図示せず）によって提供される信号を用いて遠隔制御可能である。ＢＰＲは、所望の流量を維持するようにコントローラによって自動的に制御される。実施形態では、各塗装ブースを通る流量は、関連する塗装システムコントローラに報告され、コンピュータ端末（図示せず）を用いてオペレータに表示され得る。図１の実施形態では、塗装ブース１０２及び１０３の下流の流量が示されている。しかし、他の実施形態では、塗装ブースの上流の流量が示され、流量信号を提供するために使用され得る。
【００４３】
いくつかの実施形態では、流量の指標は圧力降下測定値である。後述するように、圧力降下の測定値は、異なるブース間の流量を比較するために使用できる流量の指標を提供する。従って、流量指示手段によって示される圧力降下測定値が同じになるようにＢＰＲ１１０、１１１を調節することによって、各ブース１０２、１０３を通る流量が実質的に同じであることを確実にするようにコントローラを構成することができる。
【００４４】
図２は、本発明による流量測定手段の概略図である。
【００４５】
圧力センサ２０３ａ及び２０３ｂは、圧力センサ間の矢印２０４で示す長さのラインのセクション（一部分）２０１内の塗料の圧力の変化を測定するように配置されている。圧力センサ２０３ａ、２０３ｂは、邪魔にならず、塗料の流れを制限しない静圧センサである。塗料は矢印２０７で示す方向に流れ、圧力センサ２０３ａから２０３ｂへの圧力降下がある。圧力降下値は、ＢＰＲ２０２の上流でありかつ塗装ブース２０５の下流にあるラインのセクション２０１に配置されたセンサ２０３ａ及び２０３ｂによって測定される。ラインのセクション２０１は既知の一定の直径を有する円筒形パイプとして示されているが、これは全ての実施形態に当てはまるわけではない。ラインのセクション２０１は直線として示されているが、実施形態では、このセクションは必ずしも直線ではなく、例えば、セクションは曲線状であり得る。圧力降下は、ライン２０１内の塗料の流量を示す。この流量は、塗装ブース２０５を通る塗料の流量を示す。
【００４６】
後述する測定された圧力降下からの流量の計算がいくつかの実施形態で実施されるが、他の実施形態では、この説明は、測定された圧力降下値がどのように流量を示すか説明するのに役立つ。後者の実施形態では、流量は計算されず、測定された圧力降下のみがコントローラによって使用される。各塗装ブース２０１の流量測定手段用のラインの各セクションの幾何学的形状が実質的に同等である限り、各塗装ブース間の相対流量を比較することができる。コントローラは、各塗装ブースに対応する各ラインのセクション２０１について測定された圧力降下が同じであることを確実にすることによって、各塗装ブースを通る流量が同じになるようにＢＰＲを調整するように構成することができる。
【００４７】
図示の実施形態では、（図１の）ポンプステーション１０１からの流量は既知であり、オペレータは、各ブースにパーセンテージとして表される特定の流量比を提供するようにコントローラを構成することができる。たとえば、５０％／５０％である。
【００４８】
流量は、以下の圧力降下の式を用いて決定できる。
【数１】
2021518252.tif 000003
ここで、
Ｐ＝圧力降下（バール）（圧力センサ２０３ａ、２０３ｂを用いて測定）
Ｑ＝流量（リットル／分）
Ｌ＝パイプの長さ（メートル）（図２に２０４として示す）
Ｖ＝塗料の動的粘度（ポアズ）（使用する塗料によって分かる）
Ｆ＝パイプ係数（ラインセクション直径又は水力直径（ｍｍ）の４乗）
６７９は、例示的な塗料循環システムで使用される典型的なパイプ／ホースの質量流量特性に基づく無次元の流量定数である。特に、流量定数は、層流を確実にする範囲内の鋼製パイプの摩擦係数に基づいている。流量定数は、パイプラインの状態が最悪の場合のシナリオを想定して流量の簡単な計算を提供する。当然のことながら、ラインセクション２０１が一定の直径のパイプを含まない場合、長さ及びパイプ係数は、ラインセクション２０１の幾何学的形状によって決まる単一の定数に置き換えられる。
【００４９】
いくつかの実施形態では、パイプの代わりに非管状導管を使用する場合、パイプ係数を計算するのに水力直径を使用することができ、水力直径は式４＊（セクションの断面積）／セクションの周長によって決定される。
【００５０】
例示的な実施形態では、コントローラ（図示せず）が、センサ２０３ａ、２０３ｂを用いて測定された圧力降下と、圧力降下の式による残りの既知の係数とに基づいて塗料の流量を計算する。上述のように、流量は、所望の流量が維持されることを確実にするためにＢＰＲ２０２の設定を調整するのに使用される。
【００５１】
ライン２０６は、ポンプ（図示せず）などの塗料循環システムの下流のコンポーネントに塗料を移送する。
【００５２】
図３は、センサ３０３ａ、３０３ｂが塗装ブース２０５の上流に位置する代替的な実施形態を示す。塗料は、ポンプステーション３０１から供給ライン３０４を通って流れる。流量は、塗装ブース２０５の上流で得られた圧力測定値から上述の方法を用いて示される。図３の残りの符号は、図２に関して上述した特徴を指している。
【図１】
2021518252.tif 000004
【図２】
2021518252.tif 000005
【図３】
2021518252.tif 000006
【国際調査報告】
2021518252.tif 000007
2021518252.tif 000008
2021518252.tif 000009